(57)【要約】【課題】トレーを棚プレートから料理等を溢すことなく容易に出し入れすことができるワゴンを提供すること。【解決手段】４本の支柱２ａ，２ｂを縦方向に平行に配置し、それらの支柱の下端にキャスター３を配設し、それらの支柱間に棚プレート６ａ，６ｂ，６ｃを装架するとともに、該棚プレートを少なくとも前記４本の支柱のうちの隣り合う２本の支柱から外方に延伸させたワゴンとした。【選択図】図１
0003185002.tif 000002
【実用新案登録請求の範囲】
【請求項１】
４本の支柱を縦方向に平行に配置し、それらの支柱の下端にキャスターを配設し、それらの支柱間に棚プレートを装架するとともに、該棚プレートを少なくとも前記４本の支柱のうちの隣り合う２本の支柱から外方に延伸させたことを特徴とする、ワゴン。
【請求項２】
相隣る２本の支柱をそれぞれ一対とし、各対の支柱間に前記棚プレートを回動自在に配設して前記一方の対の支柱に対して他方の対の支柱に重ね合わせて畳めるようにするとともに、使用状態を保持するロック手段を備えたことを特徴とする、請求項１に記載のワゴン。
【請求項３】
前記棚プレートを分割し、それによって画成される棚プレート部分をヒンジによって連結して折り畳めるようにしたことを特徴とする、請求項１に記載のワゴン。
【請求項４】
前記棚プレートを複数段設けたことを特徴とする、請求項１〜３のいずれかに記載のワゴン。
【請求項５】
前記棚プレートの延伸した部分を挟みこむ支柱を上方に延伸し、そこに把持部を形成したことを特徴とする、請求項１〜４のいずれかに記載のワゴン。
【請求項６】
前記棚プレートの延伸した部分の端部を除く周縁にリブ壁を形成したことを特徴とする、請求項１〜５のいずれかに記載のワゴン。
【考案の詳細な説明】
【技術分野】
【０００１】
本考案は、ワゴンに関するもので、特には、フードコート、レストラン等で適したワゴンに関するものである。
【背景技術】
【０００２】
フードコートでは、共用の多数のテーブルが配置された座席スペースの周囲に調理設備を備えた小さな店舗が配置され、客は希望するメニューを選択した店舗で注文し、料理等が出来上がるとそれを受け取り、トレーに載せてテーブルに運んで飲食する。
このような場合、トレー上の料理等は不安定であり、トレーを運搬するに際して料理等を溢す虞がある。また、料理等が多い場合には、一度に運びきれず、店舗とテーブル間を何度も往復しなければならない。
【考案の概要】
【考案が解決しようとする課題】
【０００３】
上記のような場合、ワゴン（台車）を使用してトレーを運搬すれば、安定して多量の料理等を運搬することができる。しかし、ワゴンは、棚プレートを支持する柱が存在するため、特に下段の棚プレートに載置したトレーは、柱が邪魔をして取り出し難くいばかりか、トレー上の料理等を溢してしまうこともある。
【０００４】
そこで、本考案は、トレーを、棚プレートから料理等を溢すことなく容易に出し入れすることができるワゴンを提供することを目的とする。
【課題を解決するための手段】
【０００５】
上記した目的を達成するため、請求項１のワゴンは、４本の支柱を縦方向に平行に配置し、それらの支柱の下端にキャスターを配設し、それらの支柱間に棚プレートを装架するとともに、該棚プレートを少なくとも前記４本の支柱のうちの隣り合う２本の支柱から外方に延伸させたことを特徴とする。
この本考案において、棚プレートの延伸部は、トレーが支柱に邪魔されることがないように十分な長さであることが好ましいが、長すぎると、ワゴンが大型化するとともに不安定となる虞があるため、全長を４０ｃｍ程度とすると、延伸部の長さは、その３〜４割程度が好ましい。
【０００６】
また、請求項２のワゴンは、上記請求項１に記載の考案において、相隣る２本の支柱をそれぞれ一対とし、各対の支柱間に上記棚プレートを回動自在に配設して上記一方の対の支柱に対して他方の対の支柱を重ね合わせて畳めるようにするとともに、使用状態を保持するロック手段を備えたことを特徴とする。
【０００７】
また、請求項３のワゴンは、上記請求項１に記載の考案において、上記棚プレートを分割し、それによって画成される棚プレート部分をヒンジによって連結して折り畳めるようにしたことを特徴とする。
【０００８】
さらに、請求項４のワゴンは、上記請求項１〜３のいずれかに記載の考案において、上記棚プレートを複数段設けたことを特徴とする。
【０００９】
また、請求項５のワゴンは、上記請求項１〜４のいずれかに記載の考案において、上記棚プレートの延伸した部分を挟みこむ支柱を上方に延伸し、そこに把持部を形成したことを特徴とする。
【００１０】
さらに、請求項６のワゴンは、上記請求項１〜５のいずれかに記載の考案において、上記延伸した部分の端部を除く上記棚プレートの周縁に、リブ壁を形成したことを特徴とする。
【考案の効果】
【００１１】
上記した請求項１の本考案に係るワゴンによれば、棚プレートが支柱から外方へ延設されているので、トレーの出し入れに際して支柱が邪魔とならず、料理等を溢すことなく容易にその出し入れができる。特に、取り出しに際して、棚プレートに載置させたトレーを滑らすようにて端部まで案内でき、トレーを棚プレートからスムースに取り出すことができる。
【００１２】
さらに、上記した請求項２の本考案に係るワゴンによれば、折畳めるので、保管に際してコンパクトになり、保管スペースを少なくすることができるとともに、搬送時、例えば工場からの出荷時等において搬送スペースも少なくすることができるので、種々のコストを低減することができる。
【００１３】
また、上記した請求項３の本考案に係るワゴンにおいても、上記と同様に折畳めるので、保管スペース、搬送スペースを少なくすることができ、保管コスト、搬送コスト、更には梱包コスト等を低減することができる。
【００１４】
また、上記した請求項４の本考案に係るワゴンによれば、棚プレートが複数段配設されているので、多くの料理等を一度に運搬することができる。
【００１５】
さらに、上記した請求項５の本考案に係るワゴンによれば、支柱の把持部を掴んでワゴンの移動ができるので、移動作業が容易になる。
【００１６】
また、上記した請求項６の本考案に係るワゴンによれば、棚プレートの周縁に壁があるので、トレーが落下する虞がなく、しかも取り出し端部には壁がないので、トレーの取り出しが容易である。
【図面の簡単な説明】
【００１７】
【図１】本考案に係るワゴンの一実施の形態を概念的に示した斜視図である。
【図２】図１に示したワゴンの畳んだ状態を示した断面図である。
【図３】本考案に係るワゴンの他の折り畳み位置を示した斜視図である。
【考案を実施するための形態】
【００１８】
以下、本考案に係るワゴンを、図面に示した実施の形態に基づいて、詳細に説明する。
【００１９】
図１に示したワゴン１では、互いに平行、かつ鉛直方向に延設された４本の支柱（一方の２本を一対とする支柱２ａと、他方の２本を一対とする支柱２ｂ）によって平面視が矩形を成す枠体が形成されている。そして、各支柱２ａ，２ｂの下端にはキャスター３が装着されている。そして、支柱２ｂを上方に延長し、その延長部を把持部２ｃとしている。
【００２０】
２本の前部（図１において後方を前部としている）支柱２ａ，２ａ間には、それらの上部，中間部，下部に軸４ａ，４ｂ，４ｃがそれぞれ装架され、また、２本の後部支柱２ｂ，２ｂ間にも、それらの上部，中間部，下部に軸５ａ，５ｂ，５ｃがそれぞれ装架されている（図２参照）。
【００２１】
軸４ａ，４ｂ，４ｃおよび軸５ａ，５ｂ，５ｃには、棚プレート６ａ，６ｂ，６ｃが回動自在に支持されており、支柱２ａ，２ｂと棚プレート６ａ，６ｂ，６ｃとによって４節平行リンクを構成している。
【００２２】
そのため、このワゴン１では、使用可能状態に保持するためのロック手段７を備えている。このロック手段７は、支柱２ｂに軸８によってその端部を回動自在に支持され、先端に切り欠き９ａが形成されたアーム９と、支柱２ａに配設したピン１０とによって構成されている。そして、図１に示すように、アーム９の切り欠き９ａをピン１０に係合させることによってワゴン１を使用可能状態（組み立てた状態）に保持する。さらに、このワゴン１では、支柱２ｂにおけるアーム９の切り欠き９ａの軌跡上にピン１１が立設されている。
【００２３】
また、棚プレート６ａ，６ｂ，６ｃの一部は、後部支柱２ｂ，２ｂから外方に延伸されている。この棚プレートの延伸部は、トレーの出し入れに際して支柱に邪魔されることがないように十分な長さであることが好ましいが、長すぎると、ワゴンが大型化するとともに不安定となる虞があるため、全長を４０ｃｍ程度とすると、延伸部の長さは、その３〜４割程度が好ましい。また、この延伸されている端辺を除く棚プレート６ａ，６ｂ，６ｃ周縁には、リブ壁１２が形成されている。
【００２４】
上記した構成の本考案に係るワゴン１は、図１に示した状態で、棚プレート６ａ，６ｂ，６ｃに料理等を入れたトレーを載置し、把持部２ｃを握ってワゴン１を所定の場所まで移動させる。そして、トレーを棚プレート６ａ，６ｂ，６ｃの延伸部端から取り出す。
【００２５】
図１に示したワゴン１を保管する場合には、アーム９の切り欠き９ａをピン１０から離反させてロックを解除する。この状態では、支柱２ａ，２ｂと棚プレート６ａ，６ｂ，６ｃによる平行リンクの拘束が解除されて変形が可能になる。ここで、切り欠き９ａをピン１１に係合させてアーム９を位置決めする。
【００２６】
そして、図２に示すように、ワゴン１を変形させ、支柱２ａと支柱２ｂを重ね合わせて畳む。
【００２７】
なお、ワゴン１を折り畳む態様としては、図３に示すように、棚プレート６ａ，６ｂ，６ｃを中間部で２分する線Ａで折り畳んだり、支柱２ｂ，２ｂを結ぶ線Ｂで折り畳むこともできる。
【００２８】
以上、本考案に係るワゴンを詳しく説明してきたが、本考案の適用対象は図面に例示されたものに限られず、同じ技術思想で他の形態のワゴンとして実施することも可能であることは言うまでもない。
【産業上の利用可能性】
【００２９】
本考案に係るワゴンは、棚プレートが支柱から外方へ延設されているので、該棚プレート上へのトレー等の出し入れが容易にできるものとなる。そのため、汁物などの溢れ易いものを搬送するワゴンとして適しており、特にフードコート、レストランにおいて料理を運ぶワゴンとして、広く利用することができる。
【符号の説明】
【００３０】
１            ワゴン  
２ａ，２ｂ    支柱
２ｃ          把持部
３          キャスター
４ａ〜４ｃ  軸
５ａ〜５ｃ  軸
６ａ〜６ｃ  棚プレート
７          ロック手段
８          軸
９          アーム
９ａ        切り欠き
１０        ピン
１１        ピン
１２        リブ壁
【図１】
0003185002.tif 000003
【図２】
0003185002.tif 000004
【図３】
0003185002.tif 000005